(57)【要約】      （修正有）【課題】破砕された紙をバスケット下方へと圧迫し、バスケット内に収容可能な紙を増やすことができるシュレッダーの紙圧迫装置を提供する。【解決手段】シュレッダーの紙圧迫装置は、シュレッダー機械本体４１、或いはシュレッダーバスケット４２に、シュレッダー外部に露出する操作部品１０を可動状態で設置し、シュレッダー機械本体４１、或いはシュレッダーバスケット４２内部に紙圧迫板２０を設置する。さらに、連動ユニット３０を操作部品１０と紙圧迫板２０との間に連接し、操作部品１０を予定の方向へと動かすと、連動ユニット３０の連動により、紙圧迫板２０はバスケット４２に対して下方へと移動し、破砕された紙に対して下向きの圧迫作用を生じ、バスケット４２の容量を拡大することができる。【選択図】図２
0003163970.tif 000002
【実用新案登録請求の範囲】
【請求項１】
操作部品、紙圧迫板、連動ユニットを備え、
前記操作部品は、シュレッダー機械本体に可動状態で設置し、
前記紙圧迫板は、シュレッダー内部に設置し、前記操作部品により駆動され、シュレッダーバスケット方向へと移動し、前記バスケット内の紙に対して圧迫作用を生じ、
前記連動ユニットは、前記操作部品と前記紙圧迫板との間に連接し、前記操作部品に駆動され、前記紙圧迫板を連動して予定方向への運動を行わせることを特徴とするシュレッダーの紙圧迫装置。
【請求項２】
前記操作部品は、シュレッダー外部へと相対して伸び出す圧迫板操作部を備え、
前記圧迫板操作部両端には、相互に平行な延伸端を設置し、機械本体のハウジングと可動状態で接続し、その接続位置には、復位部品を設置し、これにより前記操作部品の圧迫板操作部は、前記機械本体に常に密着することを特徴とする請求項１に記載のシュレッダーの紙圧迫装置。
【請求項３】
前記連動ユニットは、前記操作部品両方の延伸端と、前記紙圧迫板の両方の連接端との間に、相対して連接する２組の連棒により構成することを特徴とする請求項１に記載のシュレッダーの紙圧迫装置。
【請求項４】
前記操作部品はさらに、安全スイッチを設置し、前記操作部品を作動させる時、前記安全スイッチはシュレッダーの電源を切断することを特徴とする請求項１に記載のシュレッダーの紙圧迫装置。
【請求項５】
前記操作部品は、シュレッダー外部に相対して伸び出す足踏み部、及び前記バスケットと連接する可動接続部を備えることを特徴とする請求項１に記載のシュレッダーの紙圧迫装置。
【請求項６】
前記連動ユニットは、一対の導柱を備え、前記導柱は、前記バスケット内部に固定して設置し、前記操作部品両端に相対し、
前記２個の導柱上には、それぞれスライド台を嵌めて設置し、
前記紙圧迫板両端は、前記２個のスライド台の末端にそれぞれ可動状態で設置し、前記２個のスライド台上には、前記導柱の軸方向に配置するスライド動槽を設置し、
前記連動ユニットはさらに、連棒を備え、前記連棒は、前記紙圧迫板と前記２個のスライド台のスライド動槽との間に連接し、
前記紙圧迫板両端と前記操作部品の足踏み部両端との間には、プル棒を連接し、
前記２個のスライド台と前記導柱との間には、復位部品を設置し、これにより前記バスケットへと収縮する作用力を、前記操作部品に提供することを特徴とする請求項１に記載のシュレッダーの紙圧迫装置。
【請求項７】
前記バスケットには、凹部空間を設置し、前記操作部品は、シュレッダー内に隠されることを特徴とする請求項６に記載のシュレッダーの紙圧迫装置。
【考案の詳細な説明】
【技術分野】
【０００１】
本考案はシュレッダーに関し、特にバスケットの容量を増やすことができるシュレッダーの紙圧迫装置に関する。
【背景技術】
【０００２】
紙の破砕に用いる従来のシュレッダーは、多数のカッティングブレード(cutting blades)にスペイサー(spacers)を組合せ、それをロータリーシャフト(rotary shaft)に通して設置する。
その作動原理は、モーター(motor)とギアボックス(gear box)を利用し、平行で相対回転を行う２本のシャフトを駆動し、通過する紙に対して、カット力を利用し、カット及び破砕するものである。
【０００３】
シュレッダーは、そのカッティング方式の違いにより、ストライプカットシュレッダー(stripe-cut shredders)とクロスカットシュレッダー(cross-cut shredders)に区分される。
前者は、カッティングブレードをロータリーシャフト上に一列に排列し、紙を縦方向にカットして細長い形状にする。
後者は、カッティングブレード上に１個以上の刃を備え、しかもカッティングブレードはロータリーシャフト上に螺旋状に排列し、紙を縦方向に裁断して細長い形状にした後、さらに横方向に裁断して細かくする。
【０００４】
上記したストライプカットシュレッダー、クロスカットシュレッダー共に、一般に販売される時には、破砕した紙をためるバスケット(basket or bin)が組み合わされている。
シュレッダーのカッティングブレードは、モーターとギアボックスを利用し、平行で相対回転を行う２本のシャフトを駆動し、カット力作用により通過する紙をカットし、細長い形状或いは破砕状とする。
これらの紙は、シュレッダー底部の紙落下口を経て、下方へと落下し、バスケット内に入る。
しかし、それら紙は、軽くてふわふわで不規則に堆積するため、相互間の間隙が大きく、バスケット内はあっという間にいっぱいになってしまう。
さらに、数量が増えるに従い、破砕された紙は紙落下口の下方において山型に堆積し易く、これは「紙山(chip mountain)」と呼ばれている。
この山の高さが紙落下口の付近にまで達すると、続いて落下する紙の下方への落下を妨げ、さらにはカッティングブレードがこの紙を巻き込み、「紙詰まり(jam)」の状態となってしまい、シュレッダーの正常な作動に影響を及ぼす。
【０００５】
しかし、この不規則に堆積する紙の山を手でならし下方へと押し込むと、紙を収容するバスケットの空間は明らかに拡大し、これによりバスケットの容量は増大し、紙を処理する頻度を下げられることが知られている。
さらにこれにより、続いて落下する紙の下方への落下を紙山が妨げ、さらには紙詰まりという故障状況を引き起こす事態を回避することもできる。
本考案は、従来のシュレッダーの上記した欠点に鑑みてなされたものである。
【考案の概要】
【考案が解決しようとする課題】
【０００６】
本考案が解決しようとする課題は、機械本体をどける必要がないという条件において、シュレッダー外部の操作部品により、シュレッダー内部の紙圧迫板を連動し、破砕された紙をバスケット下方へと圧迫し、バスケット内に収容可能な紙を増やし、バスケットの容量を拡大し、紙を捨てる頻度を減らすことができるシュレッダーの紙圧迫装置を提供することである。
【課題を解決するための手段】
【０００７】
上記課題を解決するため、本考案は下記のシュレッダーの紙圧迫装置を提供する。
シュレッダーの紙圧迫装置は、シュレッダー機械本体、或いはシュレッダーバスケットに、シュレッダー外部に露出する操作部品を可動状態で設置し、シュレッダー機械本体、或いはシュレッダーバスケット内部に紙圧迫板を設置し、
連動ユニットを該操作部品と該紙圧迫板との間に連接し、
実施時には、該操作部品を予定の方向へと動かすと、該連動ユニットの連動により、該紙圧迫板は該バスケットに対して下方へと移動し、破砕された紙に対して下向きの圧迫作用を生じ、該バスケットの容量を拡大することができる。
【考案の効果】
【０００８】
本考案のシュレッダーの紙圧迫装置は、機械本体をどける必要がないという条件において、シュレッダー外部の操作部品により、シュレッダー内部の紙圧迫板を連動し、破砕された紙をバスケット下方へと圧迫し、バスケット内に収容可能な紙を増やし、バスケットの容量を拡大し、紙を捨てる頻度を減らすことができる。
【図面の簡単な説明】
【０００９】
【図１】本考案第一実施例の立体分解図である。
【図２】本考案第一実施例において、作動前の構造断面図である。
【図３】本考案第一実施例において、作動後の構造断面図である。
【図４】本考案第二実施例の立体分解図である。
【図５】本考案第二実施例において、作動前の構造断面図である。
【図６】本考案第二実施例において、作動後の構造断面図である。
【考案を実施するための形態】
【００１０】
以下に図面を参照しながら本考案を実施するための最良の形態について詳細に説明する。
【００１１】
本考案第一実施例の立体分解図である図１、本考案第一実施例において、作動前の構造断面図である図２に示すように、本考案第一実施例のシュレッダーの紙圧迫装置は、操作部品１０、紙圧迫板２０、連動ユニット３０を備える。
【００１２】
操作部品１０は、シュレッダー機械本体４１位置に可動状態で設置し、シュレッダー外部へと相対して伸び出す圧迫板操作部１１を備える。
圧迫板操作部１１両端には、相互に平行な延伸端１２を設置し、機械本体４１のハウジングと相互に可動状態で接続する。
その接続位置には、スプリングにより構成する復位部品５１を設置し、これにより操作部品１０の圧迫板操作部１１は、常に機械本体４１に密着する。
【００１３】
紙圧迫板２０は、シュレッダー内部に設置し、操作部品１０により駆動され、シュレッダーバスケット４２方向へと移動する。
こうして、バスケット４２内の紙に対して圧迫作用を生じ、バスケット４２において紙が占拠する空間を圧縮する。
【００１４】
連動ユニット３０は、操作部品１０と紙圧迫板２０との間に連接する。
連動ユニット３０は、操作部品１０に駆動され、紙圧迫板２０を連動して予定方向への運動を行わせる。
本実施例中では、連動ユニット３０は、操作部品１０両方の延伸端１２と、紙圧迫板２０の両方の連接端との間に、相対して連接する２組の連棒３１により構成する。
操作部品１０の圧迫板操作部１１が機械本体４１へと作動する時、２組の連棒３１は、相対して収縮状態を呈し、これにより紙圧迫板２０は直立状を呈し、紙のバスケット４２への落下に影響を及ぼさないようにする。
【００１５】
本考案第一実施例において、作動後の構造断面図である図３に示すように、操作部品１０の圧迫板操作部１１を挙げると、２組の連棒３１は、相対して伸び出し状態を呈し、紙圧迫板２０を連動してバスケット４２下方へと運動させ、バスケット４２内部の紙に対して圧迫作用を生じる。
こうして、バスケット４２の収容空間を増大させる。
【００１６】
本考案第二実施例の立体分解図である図４、本考案第二実施例において、作動前の構造断面図である図５に示すように、本考案第二実施例のシュレッダーの紙圧迫装置において、操作部品１０は、バスケット４２に可動状態で設置する。
操作部品１０は、シュレッダー外部へと相対して伸び出す足踏み部１３、及びバスケット４２と連接する可動接続部１４を備える。
バスケット４２には、凹部空間４２１を設置し、操作部品１０を、シュレッダー内に隠し、これにより全体的な外観の完全性を確保する。
【００１７】
連動ユニット３０は、一対の導柱３２を備える。
導柱３２は、バスケット４２内部に固定して設置し、操作部品１０両端に相対する。
２個の導柱３２上には、それぞれスライド台３３を嵌めて設置する。
紙圧迫板２０両端は、２個のスライド台３３の末端にそれぞれ可動状態で設置する。
２個のスライド台３３上には、導柱３２の軸方向に配置するスライド動槽３３１を設置する。
連動ユニット３０はさらに、連棒３４を備え、連棒３４は、紙圧迫板２０と２個のスライド台３３のスライド動槽３３１との間に連接する。
紙圧迫板２０両端と操作部品１０の足踏み部１３両端との間には、プル棒３５を連接し、２個のスライド台３３と導柱３２との間には、圧縮バネにより構成する復位部品５２を設置し、これによりバスケット４２へと収縮する作用力を、操作部品１０に提供する。
【００１８】
図５、６に示すように、使用者が操作部品１０を踏むと、紙圧迫板２０は連動ユニット３０プル棒３５に連動され、下方へと動く。
これと同時に、２個のスライド台３３と共に紙圧迫板２０を連動し、導柱３２に沿って、バスケット４２下方へと移動させ、紙圧迫板２０はバスケット４２内部の紙に対して、圧迫作用を生じ、バスケット４２の容積空間を増大させることができる。
【００１９】
上記したように、本考案は、機械本体４１をどける必要がないという条件において、シュレッダー外部の操作部品１０により、シュレッダー内部の紙圧迫板２０を連動し、破砕された紙をバスケット４２下方へと圧迫し、バスケット４２の容積空間を拡大することができる。
【００２０】
本考案はさらに、シュレッダーの操作の安全性を確保するため、図１に示すように、操作部品１０周辺に操作部品１０により制御する安全スイッチ６０を設置する。
こうして、操作部品１０を作動させる時、安全スイッチ６０により、シュレッダーの電源を切断するかどうかを制御可能となる。
これにより、使用者が操作部品１０を手で動かす(或いは、足で踏む)時、安全スイッチ６０を作動させ、シュレッダーの電源を切断して、操作の安全を確保することができる。
【００２１】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２２】
本考案は実用新案の要件である新規性を備え、従来の同類製品に比べ十分な進歩を有し、実用性が高く、社会のニーズに合致しており、産業上の利用価値は非常に大きい。
【符号の説明】
【００２３】
１０  操作部品
１１  圧迫板操作部
１２  延伸端
１３  足踏み部
１４  可動接続部
２０  紙圧迫板
３０  連動ユニット
３１  連棒
３２  導柱
３３  スライド台
３３１  スライド動槽
３４  連棒
３５  プル棒
４１  機械本体
４２  バスケット
４２１  凹部空間
５１  復位部品
５２  復位部品
６０  安全スイッチ
【図１】
0003163970.tif 000003
【図２】
0003163970.tif 000004
【図３】
0003163970.tif 000005
【図４】
0003163970.tif 000006
【図５】
0003163970.tif 000007
【図６】
0003163970.tif 000008
【手続補正書】
【提出日】平成22年9月7日(2010.9.7)
【手続補正１】
【補正対象書類名】実用新案登録請求の範囲
【補正対象項目名】全文
【補正方法】変更
【補正の内容】
【実用新案登録請求の範囲】
【請求項１】
操作部品、紙圧迫板、連動ユニットを備え、
前記操作部品は、シュレッダー機械本体に可動状態で設置し、
前記紙圧迫板は、シュレッダー内部に設置し、前記操作部品により駆動され、シュレッダーバスケットの底部へと移動し、前記バスケット内の紙に対して圧迫作用を生じ、
前記連動ユニットは、前記操作部品と前記紙圧迫板との間に連接し、前記操作部品に駆動され、前記紙圧迫板を連動して上下運動を行わせることを特徴とするシュレッダーの紙圧迫装置。
【請求項２】
前記操作部品は、シュレッダー外部へと相対して伸び出す圧迫板操作部を備え、
前記圧迫板操作部両端には、相互に平行な延伸端を設置し、機械本体のハウジングと可動状態で接続し、その接続位置には、復位部品を設置し、これにより前記操作部品の圧迫板操作部は、前記機械本体に常に密着することを特徴とする請求項１に記載のシュレッダーの紙圧迫装置。
【請求項３】
前記連動ユニットは、前記操作部品両方の延伸端と、前記紙圧迫板の両方の連接端との間に、相対して連接する２組の連棒により構成することを特徴とする請求項１に記載のシュレッダーの紙圧迫装置。
【請求項４】
前記操作部品はさらに、安全スイッチを設置し、前記操作部品を作動させる時、前記安全スイッチはシュレッダーの電源を切断することを特徴とする請求項１に記載のシュレッダーの紙圧迫装置。
【請求項５】
前記操作部品は、シュレッダー外部に相対して伸び出す足踏み部、及び前記バスケットと連接する可動接続部を備えることを特徴とする請求項１に記載のシュレッダーの紙圧迫装置。
【請求項６】
前記連動ユニットは、一対の導柱を備え、前記導柱は、前記バスケット内部に固定して設置し、前記操作部品両端に相対し、
前記２個の導柱上には、それぞれスライド台を嵌めて設置し、
前記紙圧迫板両端は、前記２個のスライド台の末端にそれぞれ可動状態で設置し、前記２個のスライド台上には、前記導柱の軸方向に配置するスライド動槽を設置し、
前記連動ユニットはさらに、連棒を備え、前記連棒は、前記紙圧迫板と前記２個のスライド台のスライド動槽との間に連接し、
前記紙圧迫板両端と前記操作部品の足踏み部両端との間には、プル棒を連接し、
前記２個のスライド台と前記導柱との間には、復位部品を設置し、これにより前記バスケットへと収縮する作用力を、前記操作部品に提供することを特徴とする請求項１に記載のシュレッダーの紙圧迫装置。
【請求項７】
前記バスケットには、凹部空間を設置し、前記操作部品は、シュレッダー内に隠されることを特徴とする請求項６に記載のシュレッダーの紙圧迫装置。